(57)【要約】【課題】  光ディスクに記録された映像データの所望のシーンの画像データを取り込んで所望の画像サイズに変換し、その画像データの加工ができないようにして外部装置に出力することができるようにする。【解決手段】  光ディスクの再生中の映像データの１シーンの画像データの取り込みが指令されたとき、光ディスクの再生を一時停止して、画像データの取り込みが指令された時点の前後の所定数の画像データのサムネイルの画像選択画面を表示し、表示された画像選択画面のサムネイルの画像データを選択して、選択されたサムネイルの画像データの出力画像サイズ選択画面を表示し、表示された出力画像サイズ選択画面の画像サイズを選択して、選択されたサムネイルの画像データを選択された画像サイズに変換し、画像データの加工ができないようにして画像サイズが変換された画像データを外部装置に出力するようにする。【選択図】        図４
2007201628.tif 000002
【特許請求の範囲】
【請求項１】
光ディスクから再生された映像データの１シーンの画像データを取り込むビデオキャプチャ装置であって、
光ディスクの再生中の映像データの１シーンの画像データの取り込みを指令する画像取込指令手段と、前記画像取込指令手段により画像データの取り込みが指令されたとき、光ディスクの再生を一時停止して、前記画像取込指令手段により画像データの取り込みが指令された時点の前後の所定数の画像データのサムネイルの画像選択画面を表示する第１の表示手段と、前記第１の表示手段により表示された画像選択画面のサムネイルの画像データを選択する第１の選択手段と、前記第１の選択手段により選択されたサムネイルの画像データの出力画像サイズ選択画面を表示する第２の表示手段と、前記第２の表示手段により表示された出力画像サイズ選択画面の画像サイズを選択する第２の選択手段と、前記第１の選択手段により選択されたサムネイルの画像データを前記第２の選択手段により選択された画像サイズに変換する変換手段と、画像データの加工ができないように一様乱数を発生させて生成したプロテクトコードと再生された光ディスクのメーカのロゴが入った著作権保護マークとを前記変換手段により画像サイズが変換された画像データに付加して外部装置に出力する出力手段と、前記出力手段により画像データが外部装置に出力されたとき、光ディスクの再生を再開する再生再開手段とを備えたことを特徴とするビデオキャプチャ装置。
【請求項２】
光ディスクから再生された映像データの１シーンの画像データを取り込むビデオキャプチャ装置であって、
光ディスクの再生中の映像データの１シーンの画像データの取り込みを指令する画像取込指令手段と、前記画像取込指令手段により画像データの取り込みが指令されたとき、光ディスクの再生を一時停止して、前記画像取込指令手段により画像データの取り込みが指令された時点の前後の所定数の画像データのサムネイルの画像選択画面を表示する第１の表示手段と、前記第１の表示手段により表示された画像選択画面のサムネイルの画像データを選択する第１の選択手段と、前記第１の選択手段により選択されたサムネイルの画像データの出力画像サイズ選択画面を表示する第２の表示手段と、前記第２の表示手段により表示された出力画像サイズ選択画面の画像サイズを選択する第２の選択手段と、前記第１の選択手段により選択されたサムネイルの画像データを前記第２の選択手段により選択された画像サイズに変換する変換手段と、画像データの加工ができないようにして前記変換手段により画像サイズが変換された画像データを外部装置に出力する出力手段とを備えたことを特徴とするビデオキャプチャ装置。
【請求項３】
前記出力手段は、画像データの加工ができないように一様乱数を発生させて生成したプロテクトコードと再生された光ディスクのメーカのロゴが入った著作権保護マークとを前記変換手段により画像サイズが変換された画像データに付加して外部装置に出力する出力手段であることを特徴とする請求項２記載のビデオキャプチャ装置。
【請求項４】
前記出力手段により画像データが外部装置に出力されたとき、光ディスクの再生を再開する再生再開手段を更に備えたことを特徴とする請求項２記載のビデオキャプチャ装置。
【発明の詳細な説明】
【技術分野】
【０００１】
本発明は、光ディスクの再生中に、画面に表示された映像のシーンの画像データを取り込むビデオキャプチャ装置に係り、特にその画像データの画像サイズを変換し、その画像データの加工ができないようにして外部装置に出力することができるビデオキャプチャ装置に関する。
【背景技術】
【０００２】
従来、ＤＶＤ（Ｄｉｇｉｔａｌ  Ｖｅｒｓａｔｉｌｅ  Ｄｉｓｃ）等の光ディスクに記録された映像データの再生中に、光ディスクの再生を一時停止させて、画面に表示された映像データの１シーンの画像データを背景画像として取り込み、再生停止時に、取り込まれた背景画像を表示するようにしたものがある。しかし、所望のシーンの画像データを取り込もうとして光ディスクの再生を一時停止させたときには、既に所望のシーンより僅か後のシーンの画像が画面に表示されていて、所望のシーンの画像データを取り込むことが困難であるという問題点があった。また、取り込まれた画像データがそのままの画像サイズで外部装置に出力されるため、コンピュータ等を使用してその画像データの画像サイズを所望の画像サイズに変更しなければならず、コンピュータ等を使用して画像データを自由に加工することが可能な場合、その画像データの２次的な画像データを作成することができるため、その画像データの著作権を保護することができないという問題点があった。
背景技術としては、光ディスクの再生中に、光ディスクの再生を一時停止させて、一時停止された画面の映像の静止画像を背景画像として取り込んで、再生停止時に、取り込まれた背景画像を表示するようにしたものがあった（例えば、特許文献１参照）。
また、光ディスクから再生された映像を静止画データとして取り込んで、再生を停止しているときに、取り込まれた複数の静止画データを所定時間毎に変更して表示するようにしたものがあった（例えば、特許文献２参照）。
また、画像入力端子から取り込まれたアナログ信号の映像信号をデジタル信号に変換してＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）エンコーダにより圧縮し、コンピュータのビデオメモリに転送してキャプチャ中の画像を画面に表示するようにしたものがあった（例えば、特許文献３参照）。
また、コンピュータ画面の背景画部分をカラーキー単色で塗り潰して単色背景にし、コントラストや明るさ等を加工した後に、動画の壁紙を任意の背景部分に任意のサイズで描画するようにしたものがあった（例えば、特許文献４参照）。
【特許文献１】特開２００１−３３２００６号公報
【特許文献２】実用新案登録第３０９６０８７号公報
【特許文献３】特開２００１−１６９２４４号公報
【特許文献４】特開２００４−３６２２２２号公報
【発明の開示】
【発明が解決しようとする課題】
【０００３】
しかしながら、背景技術で述べたもののうち最初のものにおいては、光ディスクの再生中に、光ディスクの再生を一時停止させて、一時停止された画面の映像の静止画像を背景画像として取り込んで、再生停止時に、取り込まれた背景画像を表示することができたが、所望のシーンの画像データを取り込もうとして再生を一時停止させたときには、既に所望のシーンより僅か後のシーンの画像が画面に表示されていて、所望のシーンの画像データを取り込むことが困難であるという問題点があった。
また、更にその次のものにおいては、光ディスクから再生された映像を静止画データとして取り込んで、再生を停止しているときに、取り込まれた複数の静止画データを所定時間毎に変更して表示することができたが、ユーザが所望の画像データを取り込んで、その画像データの画像サイズを所望の画像サイズに変更することができるようにしたものではなかった。
また、次のものにおいては、画像入力端子から取り込まれたアナログ信号の映像信号をデジタル信号に変換してＭＰＥＧ２エンコーダにより圧縮し、コンピュータのビデオメモリに転送してキャプチャ中の画像を画面に表示することができたが、キャプチャ用として入力された画像のデジタル信号を直接コンピュータのビデオメモリに転送するようにしたものであって、上記問題点を解決するようにしたものではなかった。
また、更にその次のものにおいては、コンピュータ画面の背景画部分をカラーキー単色で塗り潰して単色背景にし、コントラストや明るさ等を加工した後に、動画の壁紙を任意の背景部分に任意のサイズで描画することができたが、コンピュータのオペレーティングシステムに備えられた静止画壁紙表示機能を使って画面上の任意の背景部分に任意のサイズの動画を壁紙として表示するようにしたものであって、上記問題点を解決するようにしたものではなかった。
本発明は、背景技術の有するこのような問題点に鑑みてなされたものであり、その目的とするところは、光ディスクに記録された映像データの所望のシーンの画像データを取り込んで所望の画像サイズに変換し、その画像データの加工ができないようにして外部装置に出力することができるビデオキャプチャ装置を提供しようとするものである。
【課題を解決するための手段】
【０００４】
上記目的を達成するため本発明においては、光ディスクから再生された映像データの１シーンの画像データを取り込むビデオキャプチャ装置であって、光ディスクの再生中の映像データの１シーンの画像データの取り込みを指令する画像取込指令手段と、前記画像取込指令手段により画像データの取り込みが指令されたとき、光ディスクの再生を一時停止して、前記画像取込指令手段により画像データの取り込みが指令された時点の前後の所定数の画像データのサムネイルの画像選択画面を表示する第１の表示手段と、前記第１の表示手段により表示された画像選択画面のサムネイルの画像データを選択する第１の選択手段と、前記第１の選択手段により選択されたサムネイルの画像データの出力画像サイズ選択画面を表示する第２の表示手段と、前記第２の表示手段により表示された出力画像サイズ選択画面の画像サイズを選択する第２の選択手段と、前記第１の選択手段により選択されたサムネイルの画像データを前記第２の選択手段により選択された画像サイズに変換する変換手段と、画像データの加工ができないようにして前記変換手段により画像サイズが変換された画像データを外部装置に出力する出力手段とを備える。
前記出力手段は、画像データの加工ができないように一様乱数を発生させて生成したプロテクトコードと再生された光ディスクのメーカのロゴが入った著作権保護マークとを前記変換手段により画像サイズが変換された画像データに付加して外部装置に出力するようにするとよい。
更に、前記出力手段により画像データが外部装置に出力されたとき、光ディスクの再生を再開する再生再開手段を備える。
これらの手段により、光ディスクに記録された映像データの所望のシーンの画像データを取り込んで所望の画像サイズに変換し、その画像データの加工ができないようにして外部装置に出力することができる。
【発明の効果】
【０００５】
請求項１記載の発明に係るビデオキャプチャ装置によれば、光ディスクの再生中の映像データの１シーンの画像データの取り込みが指令されたとき、光ディスクの再生を一時停止して、画像データの取り込みが指令された時点の前後の所定数の画像データのサムネイルの画像選択画面を表示し、表示された画像選択画面のサムネイルの画像データを選択して、選択されたサムネイルの画像データの出力画像サイズ選択画面を表示し、表示された出力画像サイズ選択画面の画像サイズを選択して、選択されたサムネイルの画像データを選択された画像サイズに変換し、画像データの加工ができないように一様乱数を発生させて生成したプロテクトコードと再生された光ディスクのメーカのロゴが入った著作権保護マークとを画像サイズが変換された画像データに付加して外部装置に出力して、画像データが外部装置に出力されたとき、光ディスクの再生を再開するようにしているので、光ディスクに記録された映像データの所望のシーンの画像データを取り込んで所望の画像サイズに変換し、その画像データの加工ができないようにして外部装置に出力することができ、プロテクトコードを一様乱数により生成するようにしているため、ユーザであってもその画像データを加工することができないようにすることができ、著作権保護マークによりその画像データの著作権が保護されていることがわかる。
請求項２記載の発明に係るビデオキャプチャ装置によれば、光ディスクの再生中の映像データの１シーンの画像データの取り込みが指令されたとき、光ディスクの再生を一時停止して、画像データの取り込みが指令された時点の前後の所定数の画像データのサムネイルの画像選択画面を表示し、表示された画像選択画面のサムネイルの画像データを選択して、選択されたサムネイルの画像データの出力画像サイズ選択画面を表示し、表示された出力画像サイズ選択画面の画像サイズを選択して、選択されたサムネイルの画像データを選択された画像サイズに変換し、画像データの加工ができないようにして画像サイズが変換された画像データを外部装置に出力するようにしているので、光ディスクに記録された映像データの所望のシーンの画像データを取り込んで所望の画像サイズに変換し、その画像データの加工ができないようにして外部装置に出力することができる。
請求項３記載の発明に係るビデオキャプチャ装置によれば、画像データの加工ができないように一様乱数を発生させて生成したプロテクトコードと再生された光ディスクのメーカのロゴが入った著作権保護マークとを画像サイズが変換された画像データに付加して外部装置に出力するようにしているので、プロテクトコードを一様乱数により生成するようにしているため、ユーザであってもその画像データを加工することができないようにすることができ、著作権保護マークによりその画像データの著作権が保護されていることがわかる。
請求項４記載の発明に係るビデオキャプチャ装置によれば、画像データが外部装置に出力されたとき、光ディスクの再生を再開するようにしているので、画像データが出力された後、光ディスクの再生を自動的に再開することができる。
【発明を実施するための最良の形態】
【０００６】
以下、適宜図面を参照しながら本発明を実施するための最良の形態を詳述する。図１は本発明の一実施例のビデオキャプチャ装置の構成を示すブロック図であり、図２は本発明の一実施例のビデオキャプチャ装置のリモコン装置を示す説明図であり、図３は本発明の一実施例のビデオキャプチャ装置の選択画面の表示例を示す図であり、図４は本発明の一実施例のビデオキャプチャ装置の動作を示すフローチャートである。
まず、図１の本発明の一実施例のビデオキャプチャ装置の構成を示すブロック図を基に説明する。
ビデオキャプチャ装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して、アナログ信号の映像データをデジタル信号に変換する同期検出／ＡＤ（Ａｎａｌｏｇ−Ｄｉｇｉｔａｌ）変換回路８と、デジタル信号に変換された映像データを復調し、復調された映像音声データの誤りを訂正する復調／誤り訂正回路９と、所定の圧縮方式、例えば、ＭＰＥＧ２方式に基づいて圧縮された映像データを伸張し、伸張された映像データを復号するビデオデコーダ１０と、映像データを蓄積するバッファメモリ１１と、映像信号を所定の信号方式の映像信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像信号に符号化して、デジタル信号の映像信号をアナログ信号に変換するエンコーダ／ＤＡ変換回路１２と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１３と、ビデオキャプチャ装置１のシステム全体を制御するマイコン１４と、リモコン装置２０から送信された赤外線信号のリモコン信号を受信して、所定の電気信号に変換するリモコン受信部１５とで構成されている。また、外部装置４０は、ビデオキャプチャ装置１から送信された画像データを記憶する不揮発性メモリのフラッシュＲＯＭ（Ｒｅａｄ−Ｏｎｌｙ  Ｍｅｍｏｒｙ）４１を備えている。なお、ビデオキャプチャ装置１は、音声データ処理回路を備えているが図示省略している。
また、リモコン装置２０には、図２に示すように、光ディスク２の再生を指令する再生キー２０ａ、画像データの取り込みを指令する画像取込キー２０ｂ、選択画面に表示された選択項目を選択するカーソルキー２０ｃ、カーソルキー２０ｄにより選択された選択項目の選択を決定する決定キー２０ｄ等の複数の操作キーが設けられていて、それらの操作キーを操作することによりビデオキャプチャ装置１を所望動作させることができるようになっている。なお、カーソルキー２０ｃは、モニタ装置３０の画面に表示されたカーソルを上下左右に移動させる上カーソルキー、下カーソルキー、左カーソルキー、右カーソルキーの４つのカーソルキーで構成されている。
以上のように構成されたビデオキャプチャ装置について、以下その動作について説明する。
リモコン装置２０の再生キー２０ａの押下により光ディスク２の再生が指令されると、マイコン１４は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３により光ディスク２に記録された映像音声データを読み出して、光ピックアップ３により読み出された映像音声データのＲＦ信号をＲＦ増幅回路７により増幅し、ＲＦ増幅回路７により増幅された映像音声データのＲＦ信号を同期検出／ＡＤ変換回路８により基準クロックに基づいて同期検出してアナログ信号の映像音声データをデジタル信号に変換し、デジタル信号に変換された映像音声データを復調／誤り訂正回路９により復調して、復調された映像音声データの誤りを復調／誤り訂正回路９により訂正し、所定の圧縮方式、例えば、ＭＰＥＧ２方式に基づいて圧縮された映像データを伸張して映像データをビデオデコーダ１０により復号し、エンコーダ／ＤＡ変換回路１２により映像データを所定の信号方式の映像信号、例えば、ＮＴＳＣ方式の映像信号に符号化してデジタル信号の映像信号をアナログ信号に変換し、所定の信号方式に符号化されたアナログ信号の映像信号をＯＳＤ回路１３を介してモニタ装置３０に出力する。
光ディスク２の再生中に、ユーザがリモコン装置２０の画像取込キー２０ｂを押下すると、マイコン１４は、サーボ回路６に制御信号を送出して、光ディスク２の再生を一時停止し、ビデオデコーダ１０とＯＳＤ回路１３とに制御信号を送出して、バッファメモリ１１に記憶されているリモコン装置２０の画像取込キー２０ｂが押下された時点の前後の所定数、例えば、画像取込キー２０ｂが押下された時点より前４つの画像データのサムネイルと画像データ取込キー２０ｂが押下された時点から後４つの画像データのサムネイルとの画像選択画面をモニタ装置３０の画面３０ａに表示し、モニタ装置３０の画面３０ａに表示されたサムネイルの画像データを選択するためのカーソルＡをモニタ装置３０の画面３０ａに表示する（図３（ａ）参照）。リモコン装置２０のカーソルキー２０ｃが操作された場合、マイコン１４は、ＯＳＤ回路１３に制御信号を送出して、モニタ装置３０の画面３０ａに表示されたカーソルＡの位置を変更する。リモコン装置２０のカーソルキー２０ｃと決定キー２０ｄとの操作により画像選択画面が取り消された場合、マイコン１４は、サーボ回路６に制御信号を送出して、光ディスク２の再生を再開する。
リモコン装置２０のカーソルキー２０ｃと決定キー２０ｄとの操作により画像選択画面の画像データのサムネイルが選択されると、マイコン１４は、ＯＳＤ回路１３に制御信号を送出して、選択されたサムネイルの画像データの出力画像サイズ選択画面をモニタ装置３０の画面３０ａに表示し、モニタ装置３０の画面３０ａに表示された出力画像サイズを選択するためのカーソルＡをモニタ装置３０の画面３０ａに表示する（図３（ｂ）参照）。リモコン装置２０のカーソルキー２０ｃが操作された場合、マイコン１４は、ＯＳＤ回路１３に制御信号を送出して、モニタ装置３０の画面３０ａに表示されたカーソルの位置を変更する。リモコン装置２０のカーソルキー２０ｃと決定キー２０ｄとの操作により画像データの出力画像サイズ選択画面が取り消された場合、マイコン１４は、画像データのサムネイルの画像選択画面をモニタ画面３０の画面３０ａに表示する。
リモコン装置２０のカーソルキー２０ｃと決定キー２０ｄとの操作により画像データの出力画像サイズが選択されると、マイコン１４は、選択されたサムネイルの画像データを選択された画像サイズ、例えば、１０２４×７６８ピクセルに変換する。そして、マイコン１４は、選択されたサムネイルの画像データの著作権を保護するために、その画像データの加工ができないように一様乱数を発生させて生成したプロテクトコードと再生された光ディスク２のディスク情報に記録されているメーカのロゴが入った著作権保護マークとを画像サイズが変換された画像データに付加して外部装置４０に出力し、外部装置４０のフラッシュＲＯＭ４１に記憶する。選択された画像データを外部装置４０に出力すると、マイコン１４は、サーボ回路６に制御信号を送出して、光ディスク２の再生を再開する。
また、図４の本発明の一実施例のビデオキャプチャ装置の動作を示すフローチャートを基に説明する。
リモコン装置の再生キーの押下により光ディスクの再生が指令されると、ステップＳ１からステップＳ２に進み、ステップＳ２で、光ディスクが再生され、ステップＳ３に進む。
ステップＳ３で、リモコン装置の画像取込キーが押下されたか否かが判断され、リモコン装置の画像取込キーが押下された場合、ステップＳ４に進み、リモコン装置の画像取込キーが押下されていない場合、ステップＳ１７に進む。
ステップＳ４で、光ディスクの再生が一時停止されて、ステップＳ５に進む。
ステップＳ５で、リモコン装置の画像取込キーが押下された時点の前後の所定数の画像データのサムネイルの画像選択画面がモニタ装置の画面に表示され、ステップＳ６に進む。
ステップＳ６で、リモコン装置のカーソルキーが操作されたか否かが判断され、リモコン装置のカーソルキーが操作された場合、ステップＳ７に進み、リモコン装置のカーソルキーが操作されていない場合、ステップＳ８に進む。
ステップＳ７で、モニタ装置の画面に表示されたカーソルの位置が変更されて、ステップＳ８に進む。
ステップＳ８で、リモコン装置のカーソルキーと決定キーとの操作により画像選択画面が取り消されたか否かが判断され、画像選択画面が取り消された場合、ステップＳ１６に進み、画像選択画面が取り消されていない場合、ステップＳ９に進む。
ステップＳ９で、リモコン装置のカーソルキーと決定キーとの操作により画像選択画面の画像データのサムネイルが選択されたか否かが判断され、画像選択画面の画像データのサムネイルが選択された場合、ステップＳ１０に進み、画像選択画面の画像データのサムネイルが選択されていない場合、ステップＳ６に戻って、ステップＳ６からのステップを繰り返す。
ステップＳ１０で、選択されたサムネイルの画像データの出力画像サイズ選択画面がモニタ装置の画面に表示されて、ステップＳ１１に進む。
ステップＳ１１で、リモコン装置のカーソルキーが操作されたか否かが判断され、リモコン装置のカーソルキーが操作された場合、ステップＳ１２に進み、リモコン装置のカーソルキーが操作されていない場合、ステップＳ１３に進む。
ステップＳ１２で、モニタ装置の画面に表示されたカーソルの位置が変更されて、ステップＳ１３に進む。
ステップＳ１３で、リモコン装置のカーソルキーと決定キーとの操作により画像データの出力画像サイズ選択画面が取り消されたか否かが判断され、画像データの出力画像サイズ選択画面が取り消された場合、ステップＳ５に戻って、ステップＳ５からのステップを繰り返し、画像データの出力画像サイズ選択画面が取り消されていない場合、ステップＳ１４に進む。
ステップ１４で、リモコン装置のカーソルキーと決定キーとの操作により画像データの出力画像サイズが選択されたか否かが判断され、画像データの出力画像サイズが選択された場合、ステップＳ１５に進み、画像データの出力サイズが選択されていない場合、ステップＳ１１に戻って、ステップＳ１１からのステップを繰り返す。
ステップＳ１５で、選択されたサムネイルの画像データが選択された画像サイズに変換され、一様乱数を発生させて生成されたプロテクトコードと再生された光ディスクのメーカのロゴが入った著作権保護マークとが画像サイズが変換された画像データに付加されて外部装置に出力され、ステップＳ１６に進む。
ステップＳ１６で、光ディスクの再生が再開されて、ステップＳ１７に進む。
ステップＳ１７で、光ディスクの再生が終了したか否かが判断され、光ディスクの再生が終了した場合、ステップＳ１８に進んで処理を終了し、光ディスクの再生が終了していない場合、ステップＳ３に戻って、ステップＳ３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のビデオキャプチャ装置の構成を示すブロック図である。
【図２】本発明の一実施例のビデオキャプチャ装置のリモコン装置を示す説明図である。
【図３】本発明の一実施例のビデオキャプチャ装置の選択画面の表示例を示す図である。
【図４】本発明の一実施例のビデオキャプチャ装置の動作を示すフローチャートである。
【符号の説明】
【０００８】
１  ビデオキャプチャ装置
２  光ディスク
３  光ピックアップ
４  スピンドルモータ
５  スレッドモータ
６  サーボ回路
７  ＲＦ増幅回路
８  同期検出／ＡＤ変換回路
９  復調／誤り訂正回路
１０  ビデオデコーダ
１１  バッファメモリ
１２  エンコーダ／ＤＡ変換回路
１３  ＯＳＤ回路
１４  マイコン
１５  リモコン受信部
２０  リモコン装置
２０ａ  メニュキー
２０ｂ  再生キー
２０ｃ  画像取込キー
２０ｄ  カーソルキー
２０ｅ  決定キー
３０  モニタ装置
３０ａ  画面
４０  外部装置
４１  フラッシュＲＯＭ
Ａ  カーソル
【図１】
2007201628.tif 000003
【図２】
2007201628.tif 000004
【図３】
2007201628.tif 000005
【図４】
2007201628.tif 000006